(57)【特許請求の範囲】
【請求項１】
タイヤグリップ測定を実施するための二輪車において、
前記二輪車は、前記二輪車の一方の側部に装着された３つの支柱を備え、前記支柱の端部は、前記二輪車の後輪の周方向平面にほぼ平行な平面を形成し、前記平面と前記二輪車の前記後輪の前記周方向平面との間の距離は、３５０ｍｍを超え、前記二輪車が全部で３つの支柱上に載っているとき、第１の支柱は、前記二輪車の全重量の７０％を超える荷重を支え、第２の支柱は、前記二輪車の全重量の１６％を超える荷重を支え、第３の支柱は、前記二輪車の全重量の８％を超える荷重を支える、
ことを特徴とする二輪車。
【請求項２】
前記二輪車は、その側部の各々に装着された少なくとも３つの支柱を備えている、
請求項１記載の二輪車。
【請求項３】
転倒の場合に路面に接触するようになった前記支柱の少なくとも端部は、滑り摩擦係数が０．２未満の材料で作られている、
請求項１又は２記載の二輪車。
【請求項４】
前記材料は、ナイロン‐６，６ポリアミドである、
請求項３記載の二輪車。
【請求項５】
前記支柱は、前記後輪の軸方向に１８０ｍｍを超える長さを有する、
請求項１〜４のいずれか１項に記載の二輪車。
【請求項６】
前記二輪車は、モーターサイクルである、
請求項１〜５のいずれか１項に記載の二輪車。
【請求項７】
第１の支柱は、フロントフェアリングに装着される、
請求項１〜６のいずれか１項に記載の二輪車。
【請求項８】
第２の支柱は、前記後輪の車軸に装着される、
請求項１〜７のいずれか１項に記載の二輪車。
【請求項９】
第３の支柱は、パッセンジャーサドルの下に設けられる、
請求項１〜８のいずれか１項に記載の二輪車。
【発明の詳細な説明】
【技術分野】
【０００１】
本発明は、タイヤグリップ測定を実施するための二輪車に関する。この種の用途には限定されないが、本発明を特に、履いたタイヤの横方向グリップを評価するために用いられるモーターサイクルに関して説明する。本発明は、電動機付きであれそうでないにせよ、いずれにせよ全形式の二輪車、例えば自転車、スクータ等に利用できると共に長手方向グリップ又は他の多くの特性を試験するために用いられる二輪車に利用できる。
【背景技術】
【０００２】
タイヤの周方向又は長手方向は、タイヤの周囲に対応していて、タイヤの転動方向により定められる方向である。
タイヤの横方向、又は軸方向は、タイヤの回転軸線に平行である。
【０００３】
半径方向は、タイヤの回転軸線を切断すると共にこの軸線に垂直な方向である。
タイヤの回転軸線は、タイヤが通常の使用中に回転する中心となる軸線である。
半径方向平面又は子午線平面は、タイヤの回転軸線を含む平面である。
【０００４】
周方向中間平面又は赤道面は、タイヤの回転軸線に垂直であって、タイヤを２つの半部に分割する平面である。
【０００５】
タイヤの設計及び改良に当たっては、タイヤの有効性及び特にタイヤの転動挙動をできるだけ客観的に判断できることが必要である。モーターサイクル用タイヤは、他形式のタイヤと比較して、モーターサイクル用タイヤがコーナリングを可能にするようキャンバ角を比較的大きくした状態で用いられるという特有の一特徴を備えている。
【０００６】
コーナリングの際、タイヤの横方向グリップは、タイヤ設計者がそのタイヤを改良するために評価することができることを望む重要なパラメータである。
【０００７】
幾分主観的であるが、タイヤの横方向グリップを評価する現行の方法は、二輪車の乗員（ライダ）による評価である。このような方法により、タイヤを相互分類することができる。
【発明の概要】
【発明が解決しようとする課題】
【０００８】
これら方法の目的は、タイヤの性能を試験することにあるので、ライダは、グリップ限度を超える恐れ、従って二輪車のコントロールを失う恐れがゼロではない状態で、場合によっては、二輪車から落下する可能性がある状態で、モーターサイクルをグリップ限度で乗らざるを得ない。
【０００９】
本発明者は、タイヤの横方向グリップを評価するための測定を実施する一方で、転倒又は落下の場合を含むライダの保護の促進を保証する試験用車両を設計するという仕事に携わった。
【課題を解決するための手段】
【００１０】
この目的は、タイヤグリップ測定を実施するための二輪車において、二輪車は、二輪車の一方の側部に装着された３つの支柱（すなわちplotまたはspar）を備え、支柱の端部は、二輪車の後輪の周方向平面にほぼ平行な平面を形成し、平面と二輪車の後輪の周方向平面との間の距離は、３５０ｍｍを超えることを特徴とする二輪車によって達成された。
【００１１】
このようにして装備が行われた二輪車は、落下又は転倒の場合であってもライダが二輪車の下敷きになるのを阻止すると共に場合によっては低速時における落下又は転倒の場合に押し潰されるのを阻止し、或いは高速時での落下又は転倒に続いて二輪車と路面との間に挟まれて滑り状態で引きずられるのを阻止する。
【００１２】
本発明によれば、二輪車は、その側部の各々に装着された少なくとも３つの支柱を備えるのが有利である。ライダは、二輪車が転倒の場合に下に位置する側部がどちらの側部であれ、保護される。
【００１３】
本発明の好ましい実施形態によれば、転倒の場合に路面に接触するようになった支柱の少なくとも端部は、滑り摩擦係数が０．２未満の材料で作られる。
【００１４】
滑り摩擦係数は、潤滑剤なしで鋼製筒体上で１．７５Ｎ／ｍｍ2の圧力で且つ６ｍ／分の滑り速度で圧縮状態で測定される。筒体の粗さは、２μｍである。
【００１５】
本発明者は、ライダを二輪車の重量に起因して潰されないよう保護することとは別に、ライダが路面と二輪車との間の自分の位置からできるだけ迅速に二輪車に当たらないで投げ出されることが重要であることを立証した。滑り摩擦係数が０．２未満の支柱を製作するための材料を選択することにより、二輪車は、転倒の際にライダよりも迅速に滑ることが可能であり、従って、ライダは、できるだけ迅速に二輪車に当たらないで投げ出されることが可能である。
【００１６】
ライダは、通常皮革で作られた保護スーツを着用している場合により迅速に二輪車に当たらないで投げ出され、皮革は、ライダが路面上で滑る速度を減速させる非常に高い滑り摩擦係数を有している。
【００１７】
本発明の有利な一実施形態によれば、支柱の構成材料は、ナイロン‐６，６ポリアミドである。
【００１８】
この材料は、その滑り摩擦係数という特性とは別に、本発明の支柱に適した高温寸法安定性及び耐熱老化性という特性を有し、これら特性は、転倒の際、摩擦に起因するこれらの温度上昇を見越している。さらに、この材料は、成形及び機械加工が容易であり、支柱の製作が容易になる。
【００１９】
好ましくは、本発明によれば、支柱は、後輪の軸方向に１８０ｍｍを超える長さを有する。このような長さにより、一方において、転倒又は落下の際にライダを保護することができ、他方において、長い距離にわたる滑りの場合に支柱の部分摩耗の場合を含む二輪車の保護が行われる。
【００２０】
本発明の有利な実施形態によれば、二輪車が全部で３つの支柱上に載っているとき、第１の支柱は、二輪車の全重量の７０％を超える荷重を支え、第２の支柱は、二輪車の全重量の１６％を超える荷重を支え、第３の支柱は、二輪車の全重量の８％を超える荷重を支える。好ましくは、第１の支柱は、７５％未満の荷重を支える。より好ましくは、第２の支柱は、２０％未満の荷重を支える。また、好ましくは、第３の支柱は、１１％未満の荷重を支える。
【００２１】
この荷重分布は、有利には、三角形を構成し、その頂点は、支柱であり、この三角形及び重心が二輪車の後輪の周方向平面に平行な平面上に投影されたとき、二輪車の重心が三角形の内部に位置する。有利には、この結果、転倒の場合、二輪車がこれら３つの支柱上に支持される可能性があり、支柱は、ライダの下肢を保護するだけでなく、ハンドルバー及び車輪をフリーのままにし、従って、二輪車は、容易に滑ることができるようになる。
【００２２】
本発明の好ましい実施形態によれば、二輪車は、モーターサイクルである。
【００２３】
この実施形態によれば、第１の支柱は、フロントフェアリングに装着されるのが有利である。エンジンブロックに取り付けられたこの支柱は、二輪車の重量の７０％〜７５％の荷重を支えるであろう。
【００２４】
再び、この実施形態によれば、第２の支柱は、後輪の車軸に装着される。後輪に取り付けられたこの支柱は、二輪車の重量の１６％〜２０％の荷重を支える。
【００２５】
再び、この実施形態によれば、第３の支柱は、パッセンジャーサドルの下に設けられる。例えば、乗員が自分の足を載せるために設けられた場所に取り付けられたこの支柱は、二輪車の重量の８％〜１１％の荷重を支える。
【００２６】
本発明の他の有利な細部及び特徴は、図面を参照して行われる本発明の例示の実施形態についての以下の説明から明らかになる。
【図面の簡単な説明】
【００２７】
【図１】本発明のモーターサイクルの略図である。
【発明を実施するための形態】
【００２８】
図は、理解しやすくするために縮尺通りには描かれていない。
【００２９】
図１は、タイヤグリップ測定を実施するために用いられるよう設計されたモーターサイクル１を概略的に示している。グリップ測定試験を実施するためのモーターサイクル１は、前輪に１２０／７０ＺＲ１７タイヤを装着すると共に後輪に１８０／５５ＺＲ１７タイヤを装着した“Ｈｏｎｄａ”（登録商標）６００“ＣＢＲ”（登録商標）型オートバイである。
【００３０】
本発明によれば、モーターサイクルは、その側部の各々にナイロン‐６，６ポリアミドで作られた３つの支柱（spar）２，３，４を備えている。
【００３１】
支柱２は、当初リヤパッセンジャーフットレストを取り付けるために設けられたアタッチメントに装着されている。モーターサイクルが３つ全ての支柱で支持された場合、支柱２によって支えられる荷重は、モーターサイクルの全重量の９．５％に等しい。
【００３２】
支柱３は、後輪の車軸に装着されている。モーターサイクルが３つ全ての支柱で支持された場合、支柱３によって支えられる荷重は、モーターサイクルの全重量の１８．５％に等しい。
【００３３】
支柱４は、エンジンブロックのフロントフェアリングに装着されている。モーターサイクルが３つ全ての支柱で支持された場合、支柱４によって支えられる荷重は、モーターサイクルの全重量の７２％に等しい。
【００３４】
支柱２，３，４は、それぞれ長さが１６０ｍｍ、５０ｍｍ、５０ｍｍであるように作られており、従って、モーターサイクルがこれら３つの支柱上に載っているとき、支柱は、路面と接触状態にある唯一の要素であり、路面によって、従って支柱の端部によって形成される平面と二輪車の後輪の周方向平面との間の距離は、３９２．５ｍｍに等しく、従って３５０ｍｍを超える。
【００３５】
タイヤグリップ測定が実施される試験条件をシミュレートするためにこのモーターサイクルに対して試験を行った。これら試験では、タイヤグリップ限度を超えて車両及びライダがこれら試験中に起こる場合のある仕方で転倒又は落下するようにした。試験ライダ（試験のために乗っている人）は、怪我の恐れをなくすスーツを着用したスタントマンであった。
【００３６】
これら試験結果の示すところによれば、一方において、ライダは、自分の下肢で支えることができないモーターサイクルの重量から保護され、他方において、支柱を構成するための材料の選択により、モーターサイクルがライダよりも容易に滑るようになり、従って、ライダは、モーターサイクルに当たらないで極めて迅速に投げ出されることは明らかである。
【００３７】
この種の試験は、最初に乾いた路面に対して実施され、次に、濡れた路面に対して実施された。両方の場合において、支柱は、特に滑りの観点から見て、まさに効果的であるということが判明した。
【図１】
0005596132.tif 000002